(57)【特許請求の範囲】
【請求項１】
マルチプロセッサ構成を有する移動交換局と，該移動交換局の配下に無線基地局を有し，且つ各々独立した信号リンクにより複数のプロセッサが１つの無線基地局に接続される移動体通信システムにおいて，
当該又は他のシステムから発信した呼が，当該システムの配下の加入者に着信する際，
前記移動交換局の一のプロセッサで，前記無線基地局に送信される移動機呼び出し要求信号内の呼識別情報にリンク番号を設定し，前記リンク番号からリンク番号選択群を求め，前記求められたリンク番号選択群から，前記移動交換局のインタフェース機能部の信号接続制御部（ＳＣＣＰ）で１つのリンク番号選択を行い，メッセージ転送制御部（ＭＴＰ）で，前記選択されたリンク番号のリンクにより前記移動機呼び出し要求信号を前記無線基地局に送り，
前記無線基地局は，
前記移動機呼び出し要求信号に対する移動機からの応答を，前記移動機呼び出し要求信号に設定されているリンク番号からリンク番号選択群を求め，前記求められたリンク番号選択群から，前記無線基地局のインタフェース機能部の信号接続制御部（ＳＣＣＰ）で１つのリンク番号選択を行い，
メッセージ転送制御部（ＭＴＰ）で，前記選択されたリンク番号のリンクにより前記移動機呼び出し要求信号に対する応答を，前記移動交換局の前記一のプロセッサに送るように構成されたことを特徴とする移動体通信システム。
【請求項２】
請求項１において，
前記信号接続制御部（ＳＣＣＰ）での前記リンク番号選択群から１つのリンク番号選択は，ラウンドロビンに選択する様に構成されたことを特徴とする移動体通信システム。
【発明の詳細な説明】
【０００１】
【発明の属する技術分野】
本発明は、マルチプロセッサ構成を採る１つの移動交換局ＭＳＣとその配下の無線基地局ＢＳＣからなる移動体通信システムに関する。
【０００２】
【従来の技術】
マルチプロセッサ方式の構成を採る１つの移動交換局ＭＳＣとその配下の無線基地局ＢＳＣからなる移動体通信システムとして、図１２に示す構成例がある。
【０００３】
図に示される例では、システムＳ１が、移動交換局ＭＳＣの各プロセッサＣＰＲ１〜ＣＰＲｎの配下に無線基地局ＢＳＣ１〜５が配置されて構成されている。
【０００４】
図１２の例では、プロセッサＣＰＲ１〜ＣＰＲｎは、メインプロセッサＭＰＲにより統合制御される。そして、プロセッサＣＰＲ１には、基地局ＢＳＣ１，ＢＳＣ２が配置され、プロセッサＣＰＲ２には、無線基地局ＢＳＣ３，ＢＳＣ４が配置されている。無線基地局ＢＳＣ１〜ＢＳＣ５のそれぞれ配下に位置エリアＬＡＣ１〜ＬＡＣ３が対応付けられている。
【０００５】
また、図１２において、プロセッサＣＰＲ１〜ＣＰＲｎは、他のシステムＳ２とも接続されている。
【０００６】
一方、図１３に示す構成では、移動交換局ＭＳＣ内の各々のプロセッサＣＰＲ１，ＣＰＲ２．．．から独立した信号リンクが１つの無線基地局ＢＳＣに接続される例である。
【０００７】
かかる図１２、図１３の構成は、１つは信頼性を向上することを目的とする。特に図１３の構成では、加入者容量、処理能力の点で、無線基地局ＢＳＣと移動体交換局ＭＳＣとの間で均衡しない場合にかかる構成となる場合がある。
【０００８】
さらに、図１３の構成のシステム仕様を持つ移動交換局ＭＳＣと無線基地局ＢＳＣの関係において、小加入者容量のシステム構成では図１４あるいは、図１５の構成例の様に、移動交換局ＭＳＣのプロセッサＣＰＲと無線基地局ＢＳＣとの対応は、１：１あるいは、２：１となり、大加入者容量のシステム構成を採る場合は、図１６に示す様に、プロセッサＣＰＲと無線基地局ＢＳＣとの対応は、多：多の関係となる。
【０００９】
このような移動体通信システムＳ１において、他システムＳ２あるいは当該システムＳ１の加入者から発信した呼がシステムＳ１の配下の移動加入者ＭＳに着信する場合を考える。
【００１０】
この際、着信呼が制御されるが、当該呼を制御する制御プログラムＭＣＡが存在するプロセッサＣＰＲは、自システム内の呼の場合は、発信制御を司るプロセッサであり、他システムからの入り接続呼の場合は、その呼制御情報を受信したプロセッサとなる。
【００１１】
プロセッサＣＰＲから無線基地局ＢＳＣに対し、Ｎｏ．７信号方式の機能レベルの第３層に相当する信号接続制御部（ＳＣＣＰ：Signaling Connection Control Part）により移動加入者ＭＳの呼び出し要求信号ＰＡＧＥが送信される。ここでは、ＳＣＣＰのコネクションレス信号が用いられる。
【００１２】
さらに、無線基地局ＢＳＣにおいて、移動機ＭＳを呼び出し、これに応答する呼び出し応答信号ＰＡＧＥ＿ＲＳＰを移動交換局ＭＳＣに返送する。ここでは、ＳＣＣＰのコネクションオリエンティド信号が用いられる。
【００１３】
このような従来技術では、呼び出し応答信号ＰＡＧＥ＿ＲＳＰの返送先が着信呼が制御されるプロセッサＣＰＲ以外となる可能性がある。
【００１４】
すなわち、図１５、図１６に対応して示される図１７に示す構成例では、プロセッサＣＰＲ１から無線基地局ＢＳＣ１に対し、呼び出し要求信号ＰＡＧＥが送られた場合、これに応答する呼び出し応答信号ＰＡＧＥ＿ＲＳＰが、プロセッサＣＰＲ２に返送される場合がある。
【００１５】
なお、図１７において、レイヤー構成で、プロセッサＣＰＲは、入り呼制御部ＩＣＡ、移動呼制御部ＭＣＡ及び、移動プロトコル制御部ＭＰＣを有する。さらに、プロセッサインタフェース部Ｆ１は、Ｎo.７信号方式におけるＳＣＣＰと、信号網レベルＭＴＰ及び、レベル２の機能を有する。
【００１６】
無線基地局ＢＳＣは、プロセッサインタフェース部Ｆ１と同様のインタフェース部を有し、更に基地局呼制御部ＢＣＡ及び、無線呼制御部ＲＣＡを有する。
【００１７】
上記の様に、呼び出し応答信号ＰＡＧＥ＿ＲＳＰが、呼び出し要求信号ＰＡＧＥを送出したプロセッサＣＰＲ１と異なるプロセッサＣＰＲ２に返送された場合は、以降の必要とする全ての呼制御信号をプロセッサＣＰＲ１とプロセッサＣＰＲ２との間で転送する必要が生じる。
【００１８】
その理由は、無線基地局ＢＳＣ１から送られる呼び出し応答信号ＰＡＧＥ＿ＲＳＰはＳＣＣＰのコネクションオリエンティド信号のコネクションリクエストメッセージ（コネクションの確立要求）である。そして、これ以降の送信データの順序を保証するために、同じＳＬＳ（Signaling Link Selection）の値を使うことで、同じ信号リンクに送信する様に制御が行なわれるからである。
【００１９】
その結果、呼び出し応答信号ＰＡＧＥ＿ＲＳＰが同一プロセッサＣＰＲに返送された場合と比較し、プロセッサ間通信に用いられるリソース量（メモリブロック量、プロセッサ使用率）の増加を招く結果となっていた。
【００２０】
ここで、データ信号をプロセッサＣＰＲ２からプロセッサＣＰＲ１に転送する方法は、図１８に示される様に、呼び出し応答信号ＰＡＧＥ＿ＲＳＰ（図１８Ｂ）については、呼び出し要求信号ＰＡＧＥ（図１８Ａ）の中に含まれる呼識別情報ＴＡＧ内にＣＰＲ番号を含める。
【００２１】
あるいは、呼び出し応答信号ＰＡＧＥ＿ＲＳＰ内の移動機識別子ＩＭＳＩを使い、メインプロセッサＭＰＲ内で管理している加入者データベースをサーチすることにより、また、呼び出し応答信号ＰＡＧＥ＿ＲＳＰ以降の信号については、移動交換局ＭＳＣより返送するＣＣメッセージにプロセッサＣＰＲ番号を含んだローカル参照（Local Reference）番号を入れれば、無線基地局ＢＳＣから送信される以降の信号にはそのローカル参照（Local Reference）番号が自動的に含まれる。
【００２２】
したがって、容易にプロセッサＣＰＲ番号が判明し、転送できる。その転送はＳＣＣＰレイヤで実施することも、呼制御（アプリケーション）で行なう方法もある。
【００２３】
以上、いずれの場合も、プロセッサ間通信に用いられるリソース量の増大    を招く。
【００２４】
【発明が解決しようとする課題】
したがって、本発明の目的は、呼び出し応答信号ＰＡＧＥ＿ＲＳＰの返送先を着信呼が制御されるプロセッサＣＰＲと同じになる様に工夫し、プロセッサ間通信に用いられるリソース量（メモリブロック量、プロセッサ使用率、プロセッサ間アダプタに使用率）の増加を防ぐ移動体通信システムにおける信号リンク選択方法及び装置を提供することにある。
【００２５】
【課題を解決するための手段】
上記課題を達成する移動体通信システムは、マルチプロセッサ構成を有する移動交換局と、該移動交換局の配下の無線基地局を有し、且つ移動交換局内の各々のプロセッサから独立した信号リンクが１つの無線基地局に接続されて構成される。
【００２６】
そして、当該又は他のシステムから発信した呼が、当該システムの配下の加入者に着信する際、前記移動交換局から前記無線基地局に送信される移動機呼び出し要求信号内の呼識別情報に該移動交換局内のプロセッサ識別子の格納エリアを有し、前記無線基地局において、移動機呼び出し応答信号の返送先を該プロセッサ識別子が示すプロセッサとする様に構成される。
【００２７】
好ましくは、前記移動機呼び出し要求信号の呼識別情報内に移動交換局のプロセッサ識別子の格納エリアにプロセッサ識別が格納されない場合に、前記無線基地局においては移動機呼び出し応答信号の返送先信号リンクをランダムに選択する様に構成される。
【００２８】
さらに、好ましくは、前記において、着信加入者クラスが優先の場合に、常に着信呼が制御されるプロセッサの識別番号を前記プロセッサ識別子の格納エリアに格納される。
【００２９】
また、好ましくは前記において、発信加入者クラスが優先の場合に、常に着信呼が制御されるプロセッサの識別番号を前記プロセッサ識別子の格納エリアに格納される。
【００３０】
さらに、別の態様として、マルチプロセッサ構成を有する移動交換局と、該移動交換局の配下の無線基地局を有し、且つ移動交換局内の各々のプロセッサから独立した信号リンクが１つの無線基地局に接続される移動体通信システムであって、当該又は他のシステムから発信した呼が、当該システムの配下の加入者に着信する際、前記移動交換局から前記無線基地局に送信される移動機呼び出し要求信号内の呼識別情報に該移動交換局と無線基地局間の信号リンク番号の格納エリアを有し、前記無線基地局において、移動機呼び出し応答信号の返送先を前記信号リンク番号が示す信号リンクとすることを特徴とする。
【００３１】
かかる構成において、好ましくは、前記移動機呼び出し要求信号の呼識別情報内に移動交換局と無線基地局間の信号リンク番号が格納されない場合に、前記無線基地局においては移動機呼び出し応答信号の返送先信号リンクをランダムに選択する様に構成される。
【００３２】
また、好ましくは、前記構成において、プロセッサの識別番号より移動機呼び出し応答信号の返送先リンク番号を決定する際に、一定の法則を持たせることにより無線基地局から一連の後続信号について信号リンク間負荷を分散可能とする。
【００３３】
さらに好ましくは、前記において、移動機呼び出し要求信号が送信される信号リンク番号を決定する際に、一定の法則を持たせることにより無線基地局から一連の後続信号について信号リンク間負荷を分散可能とする。
【００３４】
また、好ましくは、前記移動交換局内のプロセッサから独立した信号リンクが、第１の無線基地局とは別の第２の無線基地局に接続されており、第１のシステム配下の加入者に着信する際、移動機呼び出し要求信号が前記第１の無線基地局に加え、第２の無線基地局に送信される場合において、この第２の無線基地局に送信される移動機呼び出し要求信号内の呼識別情報内のプロセッサ識別子の格納エリアにプロセッサ識別を格納しないことで、前記第２の無線基地局においては移動機呼び出し応答信号の返送先信号リンクをランダムに選択する。
【００３５】
また、好ましくは、前記移動交換局内のプロセッサから独立した信号リンクが、第１の無線基地局とは別の第２の無線基地局に接続されており、第１のシステム配下の加入者に着信する際、移動機呼び出し要求信号が前記第１の無線基地局に加え、第２の無線基地局に送信される場合において、この第２の無線基地局に送信される移動機呼び出し要求信号内の呼識別情報内の移動交換局と無線基地局間のリンク番号の格納エリアに信号リンク番号を格納しないことで、前記第２の無線基地局においては移動機呼び出し応答信号の返送先信号リンクをランダムに選択する。
【００３６】
本発明の更なる特徴は、以下の図面に従う発明の実施の形態から明らかとなる。
【００３７】
【発明の実施の形態】
以下本発明の実施の形態を図面に従って説明する。なお、図において、同一又は、類似のものには、同一の参照番号または、参照記号を付して説明する。
【００３８】
図１は、本発明の実施の形態例であって、本発明に従うプロセッサＣＰＲの処理機能を説明する図である。かかる機能を実現する移動交換局ＭＳＣ，無線基地局ＢＳＣの構成は、先に説明した図１７を参照する。
【００３９】
また、図２は、本発明に従う動作フローである。図２を参照しながら図１について説明する。
【００４０】
移動交換局ＭＳＣから無線基地局ＢＳＣに対し、移動機呼び出し要求信号ＰＡＧＥを送信する際（図２、ステップＳ１）、移動交換局ＭＳＣのプロセッサＣＰＲ１の呼制御部ＭＣＡで、当該プロセッサに収容されるリンク番号ＳＬＣを求める（ステップＳ１００）。これは、図３に示す、移動交換局ＭＳＣ内に保持されるＣＰＲ→ＳＬＣ変換テーブルを参照して求める。
【００４１】
図３に示す変換表では、プロセッサＣＰＲ１に対して、リンク番号ＳＬＣは０と１が対応し、プロセッサＣＰＲ２に対しては、リンク番号ＳＬＣは２と３が対応している。
【００４２】
この様に求められたリンク番号ＳＬＣは、図４に示すように呼識別情報ＴＡＧの中に設定される（ステップＳ１０１）。
【００４３】
ここで、移動交換局ＭＳＣ内の呼制御部ＭＣＡがリンク番号ＳＬＣを選択する論理に一定の法則、例えばラウンドロビン方式を持たせれば、移動機呼び出し信号ＰＡＧＥの送信において、信号リンクの負荷分散を図ることが出きる。
【００４４】
その結果、無線基地局ＢＳＣから全ての後続信号リンク間の負荷分散が後述する理由により可能となる。
【００４５】
次いで、リンク番号ＳＬＣからリンク番号選択（ＳＬＳ）群を求め（ステップＳ１０２）、図１７に示すプロセッサＣＰＲ構成におけるインタフェース部Ｆ１の機能であるＳＣＣＰに送信依頼を行なう（ステップＳ１０３）。
【００４６】
リンク番号ＳＬＣからリンク番号選択（ＳＬＳ）群を求めるのは、図５に示すＳＬＣ−ＳＬＳ群変換テーブルを用いる。
【００４７】
図５（Ａ）は、リンクが４本のケースであり、図５（Ｂ）は、リンク７本のケースの場合である。
【００４８】
ＳＣＣＰでは、呼制御部ＭＣＡから受け取ったＳＬＳ群より１つのＳＬＳを選択する（ステップＳ１０４）。以降の信号網レベルＭＴＰ及びレベルＬ２の処理は従来と同様である。
【００４９】
この様に、１つのＳＬＳが選択されるので、送信したい信号リンク以外への送信が行なわれることがなくなる。
【００５０】
ここで、本発明によらない、通常のＳＣＣＰでの制御の場合、信号リンク間の負荷分散のため、ＳＬＳの選択は０から１５までの値がラウンドロビンに選択されている。そのため、同一プロセッサではあるが、送信したい信号リンク以外への送信が行なわれてしまうことがある。本発明ではこれが回避できる。
【００５１】
以降の信号網レベルＭＴＰに対し、無線基地局ＢＳＣへの送信依頼を行う（ステップＳ１０５）。以降のＭＴＰの処理、レベルＬ２の処理は従来と同様である。
【００５２】
一方、移動機呼び出し要求信号ＰＡＧＥを受信した無線基地局ＢＳＣは、配下の無線局に対し、移動機ＭＳの呼び出しをかける。これに移動機ＭＳから応答があった場合、図６に示すように、呼識別情報ＴＡＧの中に設定されているＳＬＣより図７に示す変換表によりＳＬＳ群を求める（ステップＳ２００）。図７（Ａ）は、リンク４本のケースであり、図７（Ｂ）は、リンク７本のケースである。
【００５３】
そして、無線基地局ＢＳＣのインタフェース部Ｆ１のＳＣＣＰに移動機呼び出し応答信号ＰＡＧＥ＿ＲＳＰの送信依頼を行なう（ステップＳ２０１）。
【００５４】
無線基地局ＢＳＣ内ＳＣＣＰでは、無線基地局ＢＳＣ内の呼制御部ＢＣＡから受け取ったＳＬＳ群より１つのＳＬＳを選択する（ステップＳ２０２）。これにより、移動交換局ＭＳＣより指定されたＳＬＣ以外への移動機呼び出し応答信号ＰＡＧＥ＿ＲＳＰ送信が行なわれることがなくなる（図２、ステップＳ３参照）。
【００５５】
なお、図２における以降のステップでは、同一信号リンク上に送信され、移動機呼び出し要求信号ＰＡＧＥを送ったプロセッサに移動機呼び出し応答信号ＰＡＧＥ＿ＲＳＰが送信される。
【００５６】
したがって、図２において、無線基地局ＢＳＣ２を経由することなく、無線基地局ＢＳＣ１からプロセッサＣＰＲ１に直接に送信が行なわれる。
【００５７】
このときＳＣＣＰが送信する移動機呼び出し応答信号ＰＡＧＥ ＲＳＰは、ＣＲ（Connection Request）メッセージ（ＳＣＣＰのコネクション確立メッセージ）を兼ねており、ここで選択されたＳＬＳは、コネクションが確立された後、解放されるまでの一連の無線基地局ＢＳＣから移動交換局ＭＳＣに対し送信されるメッセージ全てについて用いられる。そのために、以降の信号メッセージが異なるＳＬＣに送信されることはない。
【００５８】
その後、移動交換局ＭＳＣから無線基地局ＢＳＣに対し、ＳＣＣＰ  ＣＣメッセージを送信するが、その場合は、移動交換局ＭＳＣ内の呼制御部ＭＣＡから該メッセージ送信要求がＳＣＣＰに送られる時、プロセッサＣＰＴ内信号リンク間の負荷分散の為、ＳＬＳの選択が０から１５までの値でラウンドロビンに選択される。かかる点は既知の技術である。
【００５９】
ここで、選択されたＳＬＳは、このコネクションが解放されるまでの一連の移動交換局ＭＳＣから無線基地局ＢＳＣに対し、送信されるメッセージ全てについて用いられる。そのため、以降の信号メッセージが異なるＳＬＣに送信されることはない。
【００６０】
上記に、移動交換局ＭＳＣあるいは、無線基地局ＢＳＣの呼制御からＳＬＳ群をＳＣＣＰに対し、送信する方法を示したが、これは一般的プロトコルにおいて、ＳＣＣＰからＭＴＰへは、ＳＬＳを渡すのが通例であるためである。
【００６１】
図８に示すように、ＳＬＣ値を直接ＭＳＣあるいはＭＳＣ呼制御よりＳＣＣＰ経由でＭＴＰに渡す方法がある。
【００６２】
なお、今までのケースではリンク番号ＳＬＣを呼識別情報ＴＡＧの中に設定する方法を示したが、図９に示すように、プロセッサ番号ＣＰＲを呼識別情報ＴＡＧに設定する方法もある。
【００６３】
その場合、図１０において、信号リンク間の負荷分散については、無線基地局ＢＳＣ内の呼制御ＢＣＡにおいて、プロセッサ（ＣＰＲ）番号よりＳＬＣを求めるとき（ステップＳ３００）に一定の法則、例えばラウンドロビン方式を持たせることにより実現できる。
【００６４】
ここで、これまで無線基地局ＢＳＣが１つ存在することを前提に考えたが、他の実施の形態として、図１１の構成を考察する。この構成では、位置エリアＬＡＣ１の中に無線基地局ＢＳＣ１とＢＳＣ２が含まれる例である。双方の無線基地局ＢＳＣ１とＢＳＣ２に移動機呼び出し信号ＰＡＧＥを送出する必要がある。
【００６５】
なお、このような複数送信のケースは交換機ＭＳＣが移動機ＭＳの在圏する位置情報を認知していない場合にも生じる。
【００６６】
ここで、呼制御が存在しないプロセッサＣＰＲ３で移動機呼び出し応答信号ＰＡＧＥ＿ＲＳＰを受信した場合、後続のプロセッサＣＰＲ１とＣＰＲ３の信号の転送は必須となる。
【００６７】
これは、無線基地局ＢＳＣ２内の呼制御では、呼識別情報ＴＡＧの中に設定されているＳＬＣからＳＬＳ群を求めるプロセスや無線基地局ＢＳＣ内ＳＣＣＰでのＳＬＳ群から１つのＳＬＳの選択プロセスは意味のないものであるからである。
【００６８】
その無駄の回避策として、この場合にＴＡＧ内にＣＰＲ／ＳＬＣを含まず、その条件下ではＢＳＣにおいて、従来の手順を踏む様にしておけば、そのＢＳＣにおいて余分な処理ステップを踏むことがなくなる。
【００６９】
【発明の効果】
以上実施の形態を説明したように、本発明により、呼び出し応答信号ＰＡＧＥ＿ＲＳＰの返送先を着信呼が制御されるプロセッサＣＰＲと同じにすることがができる。
【００７０】
したがって、プロセッサ間通信に用いられるリソース量（メモリブロック量、プロセッサ使用率、プロセッサ間アダプタの使用率）の余分な増加を防ぐことができ、移動交換機の信頼性に貢献することができる。
【図面の簡単な説明】
【図１】本発明の実施の形態例であって、本発明に従うプロセッサＣＰＲの処理機能を説明する図である。
【図２】本発明に従う動作フローである。
【図３】移動交換局ＭＳＣ内に保持されるＣＰＲ→ＳＬＣ変換テーブルである。
【図４】呼識別情報ＴＡＧの中に設定される、求められたリンク番号ＳＬＣを示す図である。
【図５】リンク番号ＳＬＣからリンク番号選択（ＳＬＳ）群を求めるＳＬＣ−ＳＬＳ群変換テーブルを示す図である。
【図６】移動機呼び出し要求信号ＰＡＧＥを受信した無線基地局ＢＳＣから、配下の無線局に対し、移動機ＭＳの呼び出しをかけるフローを示す図である。
【図７】呼識別情報ＴＡＧの中に設定されているＳＬＣよりＳＬＳ群を求める変換表である。
【図８】ＳＬＣ値を直接ＭＳＣあるいはＭＳＣ呼制御よりＳＣＣＰ経由でＭＴＰに渡す方法である。
【図９】プロセッサ番号ＣＰＲを呼識別情報ＴＡＧに設定する方法を説明する図である。
【図１０】無線基地局ＢＳＣ内の呼制御ＢＣＡにおいて、プロセッサ（ＣＰＲ）番号よりＳＬＣを求め信号リンク間の負荷分散を図るフローを説明する図である。
【図１１】位置エリアＬＡＣ１の中に無線基地局ＢＳＣ１とＢＳＣ２が含まれる実施例構成図である。
【図１２】マルチプロセッサ方式の構成を採る１つの移動交換局ＭＳＣとその配下の無線基地局ＢＳＣからなる移動体通信システムの構成例を示す図である。
【図１３】移動交換局ＭＳＣ内の各々のプロセッサＣＰＲ１，ＣＰＲ２．．．から独立した信号リンクが１つの無線基地局ＢＳＣに接続される例を示す図である。
【図１４】図１３の構成のシステム仕様を持つ移動交換局ＭＳＣと無線基地局ＢＳＣの関係において、１：１の関係にある小加入者容量のシステム構成例を示す図である。
【図１５】図１３の構成のシステム仕様を持つ移動交換局ＭＳＣと無線基地局ＢＳＣの関係において、２：２の関係にある小加入者容量のシステム構成例を示す図である。
【図１６】移動交換局ＭＳＣと無線基地局ＢＳＣの関係において、多：多の関係にある大加入者容量のシステム構成例を示す図である。
【図１７】図１５、図１６に対応して示される構成例で、プロセッサＣＰＲ１から無線基地局ＢＳＣ１に対し、呼び出し要求信号ＰＡＧＥが送られた場合、これに応答する呼び出し応答信号ＰＡＧＥ＿ＲＳＰが、別のプロセッサＣＰＲ２に返送される場合を説明する図である。
【図１８】データ信号をプロセッサＣＰＲ２からプロセッサＣＰＲ１に転送する方法を説明する図である。
【符号の説明】
ＩＣＡ  入り呼制御部
ＭＣＡ  移動呼制御部
ＭＰＣ  移動プロトコル制御部
ＢＣＡ  基地局呼制御部
ＲＣＡ  無線呼制御部
ＭＰＲ  メインプロセッサ
ＣＰＲ  プロセッサ
ＢＳＣ  無線基地局
ＭＳ  移動機
【図１】
0003901403.tif 000002
【図２】
0003901403.tif 000003
【図３】
0003901403.tif 000004
【図４】
0003901403.tif 000005
【図５】
0003901403.tif 000006
【図６】
0003901403.tif 000007
【図７】
0003901403.tif 000008
【図８】
0003901403.tif 000009
【図９】
0003901403.tif 000010
【図１０】
0003901403.tif 000011
【図１１】
0003901403.tif 000012
【図１２】
0003901403.tif 000013
【図１３】
0003901403.tif 000014
【図１４】
0003901403.tif 000015
【図１５】
0003901403.tif 000016
【図１６】
0003901403.tif 000017
【図１７】
0003901403.tif 000018
【図１８】
0003901403.tif 000019